(57)【要約】【課題】映像の画質を低下させることなくウォータマークを確実に検出することができる電子透かし埋め込み装置、電子透かし埋め込み方法および電子透かしを有する記録媒体を提供する。【解決手段】本発明は、デジタル情報からなるコンテンツに、所定の規則に基づいて生成された信号からなる電子透かしを埋め込む電子透かし埋め込み装置に関する。この電子透かし埋め込み装置は、コンテンツに埋め込む電子透かしの強度を変動させる強度設定部４０４および強度変更部４０５と、電子透かしの強度を、間隔を空けて高くするように、強度変更部４０５を制御する制御部４１４と、を備える。【選択図】　　　図１
2004007032.tif 000002
【特許請求の範囲】
【請求項１】
デジタル情報からなるコンテンツに、所定の規則に基づいて生成された信号からなる電子透かしを埋め込む電子透かし埋め込み装置であって、
前記コンテンツに埋め込む前記電子透かしの強度を変動させる変動手段と、
前記電子透かしの強度を、間隔を空けて高くするように、前記変動手段を制御する制御手段と、を備えることを特徴とする電子透かし埋め込み装置。
【請求項２】
前記変動手段は、
前記コンテンツの情報信号に基づいて前記電子透かしの強度を設定する設定手段と、
前記設定手段により設定された前記電子透かしの強度を間隔を空けて高くするように変更する変更手段と、を備えることを特徴とする請求項１に記載の電子透かし埋め込み装置。
【請求項３】
前記制御手段は、ランダム間隔又は所定の規則に従った不定間隔で前記電子透かしの強度を高くするように制御することを特徴とする請求項１または２に記載の電子透かし埋め込み装置。
【請求項４】
前記制御手段は、前記コンテンツの情報信号に基づいて前記電子透かしの強度を変動させるように、前記変動手段を制御することを特徴とする請求項１または２に記載の電子透かし埋め込み装置。
【請求項５】
前記制御手段は、前記情報信号の変化が急激な部分で前記電子透かしの強度を高くするように制御することを特徴とする請求項４に記載の電子透かし埋め込み装置。
【請求項６】
前記制御手段は、ランダム間隔又は所定の規則に従った不定間隔を空けた後、前記変化が急激な部分で前記電子透かしの強度を高くするように制御することを特徴とする請求項５に記載の電子透かし埋め込み装置。
【請求項７】
前記制御装置は、一定間隔を空けた後、前記変化が急激な部分で前記電子透かしの強度を高くするように制御することを特徴とする請求項５に記載の電子透かし埋め込み装置。
【請求項８】
前記コンテンツは、映像コンテンツであって、
前記コンテンツにおける変化が急激な部分は、映像のシーンチェンジの部分、映像のエッジが強い部分又は映像の動きが激しい部分であることを特徴とする請求項５に記載の電子透かし埋め込み装置。
【請求項９】
前記コンテンツに予め第１の電子透かしが埋め込まれているか否か、及び当該第１の電子透かしが埋め込まれている場合にその種類を検出する検出手段を備え、
前記制御手段は、前記検出手段からの検出結果に基づいて、新たな第２の電子透かしを埋め込むように制御することを特徴とする請求項１に記載の電子透かし埋め込み装置。
【請求項１０】
前記検出手段は、前記コンテンツの情報信号から、前記第１の電子透かしが埋め込まれているか否か及び当該第１の電子透かしの種類を検出することを特徴とする請求項９に記載の電子透かし埋め込み装置。
【請求項１１】
前記コンテンツの情報信号を圧縮符号化する符号化手段を備え、
前記検出手段は、前記圧縮符号化された情報信号から、前記第１の電子透かしが埋め込まれているか否か及び当該第１の電子透かしの種類を検出することを特徴とする請求項９に記載の電子透かし埋め込み装置。
【請求項１２】
デジタル情報からなるコンテンツに、所定の規則に基づいて生成された信号からなる電子透かしを埋め込む電子透かし埋め込み方法であって、
前記コンテンツに埋め込む前記電子透かしの強度を、間隔を空けて高くするように前記電子透かしの強度を変動させる変動手順を備えることを特徴とする電子透かし埋め込み方法。
【請求項１３】
前記変動手順は、前記コンテンツの情報信号に基づいて前記電子透かしの強度を設定する設定手順と、
前記設定手順により設定された前記電子透かしの強度を間隔を空けて高くするように変更する変更手順と、を含むことを特徴とする請求項１２に記載の電子透かし埋め込み方法。
【請求項１４】
前記変動手順では、ランダム間隔又は所定の規則に従った不定間隔で前記電子透かしの強度を高くすることを特徴とする請求項１２または１３に記載の電子透かし埋め込み方法。
【請求項１５】
前記変動手順では、前記コンテンツの情報信号に基づいて前記電子透かしの強度を変動させることを特徴とする請求項１２または１３に記載の電子透かし埋め込み方法。
【請求項１６】
前記変動手順では、前記情報信号の変化が急激な部分で前記電子透かしの強度を高くするように前記電子透かしの強度を変動させることを特徴とする請求項１５に記載の電子透かし埋め込み方法。
【請求項１７】
前記変動手順では、ランダム間隔又は所定の規則に従った不定間隔を空けた後、前記変化が急激な部分で前記電子透かしの強度を高くするように前記電子透かしの強度を変動させることを特徴とする請求項１６に記載の電子透かし埋め込み方法。
【請求項１８】
前記変動手順では、一定間隔を空けた後、前記変化が急激な部分で前記電子透かしの強度を高くするように前記電子透かしの強度を変動させることを特徴とする請求項１６に記載の電子透かし埋め込み方法。
【請求項１９】
前記コンテンツは、映像コンテンツであって、
前記コンテンツにおける変化が急激な部分は、映像のシーンチェンジの部分、映像のエッジが強い部分又は映像の動きが激しい部分であることを特徴とする請求項１６に記載の電子透かし埋め込み方法。
【請求項２０】
前記コンテンツに予め第１の電子透かしが埋め込まれているか否か、及び当該第１の電子透かしが埋め込まれている場合にその種類を検出する検出手順を備え、
前記変動手順では、前記検出手順における検出結果に基づいて、前記コンテンツに埋め込む新たな第２の電子透かしの強度を変動させることを特徴とする請求項１２に記載の電子透かし埋め込み方法。
【請求項２１】
前記検出手順では、前記コンテンツの情報信号から、前記第１の電子透かしが埋め込まれているか否か及び当該第１の電子透かしの種類を検出することを特徴とする請求項２０に記載の電子透かし埋め込み方法。
【請求項２２】
前記コンテンツの情報信号を圧縮符号化する符号化手順を備え、
前記検出手順では、前記符号化手順により前記圧縮符号化された情報信号から、前記第１の電子透かしが埋め込まれているか否か及び当該第１の電子透かしの種類を検出することを特徴とする請求項２０に記載の電子透かし埋め込み方法。
【請求項２３】
デジタル情報からなるコンテンツに、所定の規則に基づいて生成された信号からなる電子透かしを埋め込んだ映像が記録された、電子透かしを有する記録媒体であって、
前記コンテンツに埋め込まれた前記電子透かしの強度が、間隔が空いて高くなっていることを特徴とする電子透かしを有する記録媒体。
【請求項２４】
デジタル情報からなるコンテンツに、所定の規則に基づいて生成された信号からなる電子透かしを埋め込む電子透かし埋め込み装置であって、
前記コンテンツに予め埋め込まれている第１の電子透かしを検出する検出手段と、
前記検出手段の検出結果に応じて、前記コンテンツに第２の電子透かしを埋め込む埋め込み手段と、を備え、
前記検出手段は、前記埋め込み手段よりも前段に配置されていることを特徴とする電子透かし埋め込み装置。
【請求項２５】
前記検出手段および前記埋め込み手段との間に、信号のノイズを低減するノイズ低減手段が配置されていることを特徴とする請求項２４に記載の電子透かし埋め込み装置。
【請求項２６】
前記検出手段および前記埋め込み手段との間に、信号を圧縮符号化処理する圧縮符号化手段が配置されていることを特徴とする請求項２４に記載の電子透かし埋め込み装置。
【請求項２７】
前記検出手段および前記埋め込み手段の間に、信号を復号化処理する復号化手段が配置されていることを特徴とする請求項２４に記載の電子透かし埋め込み装置。
【請求項２８】
デジタル情報からなるコンテンツに、所定の規則に基づいて生成された信号からなる電子透かしを埋め込む電子透かし埋め込み方法であって、
前記コンテンツに予め埋め込まれている第１の電子透かしを検出する検出手順と、
前記検出手順の検出結果に応じて、前記コンテンツに第２の電子透かしを埋め込む埋め込み手順と、を備え、
前記検出手順では、前記埋め込み手順において前記第２の電子透かしを埋め込む位置よりも前段において前記第１の電子透かしを検出することを特徴とする電子透かし埋め込み方法。
【請求項２９】
前記検出手順において前記第１の電子透かしが検出された後の信号のノイズを低減するノイズ低減手順を備え、
前記埋め込み手順では、前記ノイズ低減手順によりノイズが低減された後の信号に前記第２の電子透かしを埋め込むことを特徴とする請求項２８に記載の電子透かし埋め込み方法。
【請求項３０】
前記検出手順において前記第１の電子透かしが検出された後の信号を圧縮符号化処理する圧縮符号化手順を備え、
前記埋め込み手順では、前記圧縮符号化手順により圧縮符号化処理された後の信号に前記第２の電子透かしを埋め込むことを特徴とする請求項２８に記載の電子透かし埋め込み方法。
【請求項３１】
前記検出手順において前記第１の電子透かしが検出された後の信号を復号化処理する復号化手順を備え、
前記埋め込み手順では、前記復号化手順により復号化処理された後の信号に前記第２の電子透かしを埋め込むことを特徴とする請求項２８に記載の電子透かし埋め込み方法。
【請求項３２】
デジタル情報からなるコンテンツに、所定の規則に基づいて生成された信号からなる電子透かしを埋め込んだ情報が記録された記録媒体の製造方法であって、
前記コンテンツに予め埋め込まれている第１の電子透かしを検出する検出手順と、
前記検出手順の検出結果に応じて、前記コンテンツに第２の電子透かしを埋め込む埋め込み手順と、
前記埋め込み手順を経た信号を前記記録媒体に記録する記録手順と、を備え、
前記検出手順では、前記埋め込み手順において前記第２の電子透かしを埋め込む位置よりも前段において前記第１の電子透かしを検出することを特徴とする記録媒体の製造方法。
【発明の詳細な説明】
【０００１】
【発明の属する技術分野】
本発明は、デジタル情報からなるコンテンツに複製を制限するための電子透かしを埋め込む、電子透かし埋め込み装置、電子透かし埋め込み方法、電子透かしを有する記録媒体および記録媒体の製造方法に関する。
【０００２】
【従来の技術】
デジタルテレビ放送の実現により、映像のデジタル信号による配信が一般化しつつある。また、映像を光ディスクや磁気テープなどにデジタルデータとして記録するビデオレコーダーも普及しつつある。映像をデジタルデータとして記録することができれば、映像を劣化させることなく複製することが可能となる。このため、著作権等の観点から、映像の複製を制限する必要がある。
【０００３】
例えば、特開平２０００−１７３１７５号公報に開示されたウォータマーク（電子透かし）技術は映像の複製を制限する技術の１つであり、デジタル映像に複製制限に関する情報を埋め込む技術である。以下、デジタル映像に埋め込むための複製制限に関する情報を「ウォータマーク」と呼ぶ。ウォータマークは、映像中に隠れるように埋め込まれる。このため、ウォータマークを映像中に埋め込んでも、映像の質はほとんど低下しない。また、ウォータマークが埋め込まれた映像を受け取った者は、その映像中にウォータマークが存在することさえ認識できないであろうから、ウォータマークを映像から除去することは極めて困難である。
【０００４】
上記特開平２０００−１７３１７５号公報には、複製禁止を示すウォータマークと１世代複製許可を示すウォータマークを用いたシステムが開示されている。このようなシステムによれば、複製の回数を管理することができるので、著作権の問題を生じさせることなく、テレビ放送の受信者は放送時間に束縛されずに配信された映像を見ることができる。
【０００５】
このシステムでは、デジタル映像がビデオレコーダーに入力されたとき、ビデオレコーダーはその映像中にウォータマークが存在するか否かを判断する。ウォータマークが存在し、そのウォータマークが複製禁止を示すものであれば、ビデオレコーダーはその映像の記録を行わない。また、ウォータマークが存在していないとき、あるいはウォータマークは存在するがそのウォータマークが１世代複製許可を示すものであれば、ビデオレコーダーは、その映像は１度の複製が許可されていると判断し、その映像を例えば光ディスクに記録する。このとき、ウォータマークが１世代複製許可を示すものであれば、ビデオレコーダーは、その映像に複製禁止を示すウォータマークを埋め込んで記録する。
【０００６】
【発明が解決しようとする課題】
ウォータマークは映像中に埋め込まれるため、ウォータマークの強度は本来の映像の画質を劣化させないような強度に設定される。しかし、映像の性質によってはウォータマークが本来の映像と区別しにくくなり、ウォータマークの検出が困難になるという問題がある。ウォータマークの検出を容易なものとするためにウォータマークの強度を高めると、こんどは映像の画質を低下させてしまう。
【０００７】
本発明は、映像の画質を低下させることなくウォータマークを確実に検出することができる電子透かし埋め込み装置、電子透かし埋め込み方法および電子透かしを有する記録媒体を提供することを目的とする。
【０００８】
【課題を解決するための手段】
本発明の電子透かし埋め込み装置は、デジタル情報からなるコンテンツに、所定の規則に基づいて生成された信号からなる電子透かしを埋め込む電子透かし埋め込み装置であって、コンテンツに埋め込む電子透かしの強度を変動させる変動手段（４０４，４０５等）と、電子透かしの強度を、間隔を空けて高くするように、変動手段（４０５等）を制御する制御手段（４１４等）と、を備えることを特徴とする。
【０００９】
この電子透かし埋め込み装置によれば、コンテンツに埋め込まれる電子透かしの強度を間隔を空けて高くするので、強度の高い部分で確実に電子透かしを検出することができる。また、強度が高い部分を間隔をあけて配置するので、その部分に対して間隔を広くとることにより画質に与えるウォータマークの影響を抑制することができる。
【００１０】
本発明の電子透かし埋め込み方法は、デジタル情報からなるコンテンツに、所定の規則に基づいて生成された信号からなる電子透かしを埋め込む電子透かし埋め込み方法であって、コンテンツに埋め込む電子透かしの強度を、間隔を空けて高くするように電子透かしの強度を変動させる変動手順を備えることを特徴とする。
【００１１】
この電子透かし埋め込み方法によれば、コンテンツに埋め込まれる電子透かしの強度を間隔を空けて高くするので、強度の高い部分で確実に電子透かしを検出することができる。また、強度が高い部分を間隔をあけて配置するので、その部分に対して間隔を広くとることにより画質に与えるウォータマークの影響を抑制することができる。
【００１２】
本発明の電子透かしを有する記録媒体は、デジタル情報からなるコンテンツに、所定の規則に基づいて生成された信号からなる電子透かしを埋め込んだ映像が記録された、電子透かしを有する記録媒体であって、コンテンツに埋め込まれた電子透かしの強度が、間隔が空いて高くなっていることを特徴とする。
【００１３】
この電子透かしを有する記録媒体によれば、コンテンツに埋め込まれた電子透かしの強度が、間隔が空いて高くなっているので、強度の高い部分で確実に電子透かしを検出することができる。また、強度が高い部分を間隔をあけて配置するので、その部分に対して間隔を広くとることにより画質に与えるウォータマークの影響を抑制することができる。
【００１４】
本発明の電子透かし埋め込み装置は、デジタル情報からなるコンテンツに、所定の規則に基づいて生成された信号からなる電子透かしを埋め込む電子透かし埋め込み装置であって、コンテンツに予め埋め込まれている第１の電子透かしを検出する検出手段（４１５等）と、検出手段（４１５等）の検出結果に応じて、コンテンツに第２の電子透かしを埋め込む埋め込み手段（４０６等）と、を備え、検出手段（４１５等）は、埋め込み手段（４０６等）よりも前段に配置されていることを特徴とする。
【００１５】
この電子透かし埋め込み装置によれば、検出手段および埋め込み手段の間における信号処理の影響を受けることなく検出手段により第１の電子透かしを検出できるので、第１の電子透かしを確実に検出できる。また、埋め込み手段により埋め込まれた第２の電子透かしが検出手段および埋め込み手段の間における信号処理の影響を受けないため、第２の電子透かしの劣化を抑制できる。
【００１６】
本発明の電子透かし埋め込み方法は、デジタル情報からなるコンテンツに、所定の規則に基づいて生成された信号からなる電子透かしを埋め込む電子透かし埋め込み方法であって、コンテンツに予め埋め込まれている第１の電子透かしを検出する検出手順と、検出手順の検出結果に応じて、コンテンツに第２の電子透かしを埋め込む埋め込み手順と、を備え、検出手順では、埋め込み手順において第２の電子透かしを埋め込む位置よりも前段において第１の電子透かしを検出することを特徴とする。
【００１７】
この電子透かし埋め込み方法によれば、検出手順および埋め込み手順の間における信号処理の影響を受けることなく検出手順により第１の電子透かしを検出できるので、第１の電子透かしを確実に検出できる。また、埋め込み手順により埋め込まれた第２の電子透かしが検出手順および埋め込み手順の間における信号処理の影響を受けないため、第２の電子透かしの劣化を抑制できる。
【００１８】
本発明の記録媒体の製造方法は、デジタル情報からなるコンテンツに、所定の規則に基づいて生成された信号からなる電子透かしを埋め込んだ情報が記録された記録媒体の製造方法であって、コンテンツに予め埋め込まれている第１の電子透かしを検出する検出手順と、検出手順の検出結果に応じて、コンテンツに第２の電子透かしを埋め込む埋め込み手順と、埋め込み手順を経た信号を記録媒体に記録する記録手順と、を備え、検出手順では、埋め込み手順において第２の電子透かしを埋め込む位置よりも前段において第１の電子透かしを検出することを特徴とする。
【００１９】
この記録媒体の製造方法によれば、検出手順および埋め込み手順の間における信号処理の影響を受けることなく検出手順により第１の電子透かしを検出できるので、第１の電子透かしを確実に検出できる。また、埋め込み手順により埋め込まれた第２の電子透かしが検出手順および埋め込み手順の間における信号処理の影響を受けないため、第２の電子透かしの劣化を抑制できる。
【００２０】
なお、本発明の理解を容易にするために添付図面の参照符号を括弧書きにて付記するが、それにより本発明が図示の形態に限定されるものではない。
【００２１】
【発明の実施の形態】
以下、本発明による電子透かし埋め込み装置の実施形態について、図面を参照して詳細に説明する。なお、本実施形態では、デジタル情報からなるコンテンツとして映像コンテンツを例示しているが、音楽コンテンツ等すべてのデジタル情報からなるコンテンツに適用できる。
【００２２】
−第１の実施形態−
以下、図１〜図６を参照して、本発明による電子透かし埋め込み装置の第１の実施形態について説明する。
【００２３】
図１は第１の実施形態の電子透かし埋め込み装置４０１を示すブロック図である。この電子透かし埋め込み装置４０１は、ベースバンドとされる映像信号にウォータマーク（電子透かし）を埋め込むものである。
【００２４】
図１に示すように、電子透かし埋め込み装置４０１は、映像コンテンツの複製制限に関する情報として用いられるウォータマーク（電子透かし）を構成するＰＮ（ＰｓｅｕｄｏｒａｎｄｏｍＮｏｉｓｅ）系列を生成するＰＮ系列生成部４０３と、ＰＮ系列生成部４０３から出力されたＰＮ系列を増幅してその強度を設定する強度設定部４０４と、ＰＮ系列の強度を変更する強度変更部４０５と、映像信号とＰＮ系列とを加算する加算部４０６と、映像信号のノイズを低減するノイズリダクション部４０７と、映像信号を圧縮符号化するＭＰＥＧエンコーダ４０８と、ＲＡＭおよびＲＯＭを有する記憶部４１０と、操作者に向けて所定の情報を提示するための表示部４１１と、操作者の操作を受付ける操作部４１２と、上記各部を制御する制御装置４１４とを備える。
【００２５】
埋め込み装置４０１は、例えば、放送局の放送設備の一部として使用することができる。この場合には、ＭＰＥＧエンコーダ４０８から出力されるＭＰＥＧストリームを映像信号出力装置にて増幅し、アンテナを介して送信することにより、映像を配信することができる。
【００２６】
また、電子透かし埋め込み装置４０１は、例えば映画会社等で使用される録画装置の一部として使用することができる。この場合には、ウォータマークの入っていないコンテンツにウォータマークを埋め込み、光ディスク、ビデオテープ等の記録媒体に記録することができる。
【００２７】
次に、ＰＮ系列生成部４０３で生成されるＰＮ系列により構成されるウォータマークについて、図２〜図５を参照して説明する。
【００２８】
デジタル映像には、このデジタル映像を構成する各画像の輝度を表す情報が含まれている。この輝度を表す情報は、例えば４〜８ビット程度の数値であり、画像を構成する画素にそれぞれ対応している。即ち、各画素毎に輝度を表す数値が個別的に設定されている（以下、画素の輝度を表す数値を「輝度値」という）。これについて、図２を用いて具体的に説明すると、図２中の画像Ｐ１はデジタル映像を構成する画像の１つであり、画像Ｐ１中のａ，ｂ，ｃ，ｄ，…はそれぞれの画素に設定された輝度値を示している。
【００２９】
ウォータマークは、所定の規則に基づいて生成された信号、例えば、本実施形態ではＰＮ系列によって構成されており、ＰＮ系列の各符号を画素の輝度値にそれぞれ加算することによって画像中に埋め込まれる。例えば、図２中の「００１１……」はウォータマークを構成するＰＮ系列である。このＰＮ系列を画像Ｐ１中の輝度値ａ，ｂ，ｃ，ｄ，…に加算することにより、輝度値が図３に示すように、ａ，ｂ，ｃ＋１，ｄ＋１，…となる。このようにして、ウォータマークがデジタル映像を構成する各画像に埋め込まれる。
【００３０】
ウォータマークを構成するＰＮ系列は、例えばＭ系列のような疑似ランダム符号のシーケンスであり、ＰＮ系列を生成するための多項式（生成式）に初期値を与えることにより生成される。本実施形態において、ＰＮ系列を生成するための多項式（生成式）は、例えば、図４に示すようなＰＮ系列生成回路１として具現化される。ＰＮ系列生成回路１は、シフトレジスタ１Ａ〜１Ｄおよび加算器１Ｅにより構成され、ＰＮ系列生成部４０３に設けられる。なお、実際に用いられるＰＮ系列は、系列周期が長くなるように、よりシフトレジスタ数の多いものが用いられる。
【００３１】
また、本実施形態では、互いに異なる２種類のＰＮ系列を生成し、これらのうちの一方を、１世代複製許可を示すウォータマークとして用い、他方を複製禁止を示すウォータマークとして用いる。ＰＮ系列は、多項式および初期値のうちのいずれか一方または双方を変更することによってランダム符号の配列が変化する。従って、多項式および初期値のうちのいずれか一方または双方を変更することによって異なるＰＮ系列を生成することができる。
【００３２】
例えば、１世代複製許可を示すウォータマークとして用いられるＰＮ系列を、図４に示すＰＮ系列生成回路１によって生成する。一方、複製禁止を示すウォータマークとして用いられるＰＮ系列を、図５に示すＰＮ系列生成回路２によって生成する。図５に示すＰＮ系列生成回路２は、ＰＮ系列生成回路１に対応する多項式（生成式）と異なる多項式（生成式）を具現化したものであり、シフトレジスタ２Ａ〜２Ｄおよび加算器２Ｅにより構成されている。ＰＮ系列生成回路２もまた、ＰＮ系列生成部４０３に設けられる。
【００３３】
ＰＮ系列生成回路１に対応する多項式とＰＮ系列生成回路２に対応する多項式が異なることは、シフトレジスタおよび加算器の接続が、ＰＮ系列生成回路１とＰＮ系列生成回路２とで異なることから明らかである。このように、接続または構成が異なる２つのＰＮ系列生成回路（即ち、構造が異なる２つの多項式）を用いることにより、１世代複製許可を示すウォータマークと複製禁止を示すウォータマークをそれぞれ生成することができる。
【００３４】
また、図４に示すＰＮ系列生成回路１のみを用いて、１世代複製許可を示すウォータマークと複製禁止を示すウォータマークをそれぞれ生成することも可能である。この場合には、ＰＮ系列生成回路１に与える初期値を２種類用意する。これら２種類の初期値のうちの一方の初期値をＰＮ系列生成回路１に与えることによって、１世代複製許可を示すウォータマークを構成するＰＮ系列を生成し、他方の初期値を同じＰＮ系列生成回路１に与えることによって、複製禁止を示すウォータマークを構成するＰＮ系列を生成することができる。例えば、１世代複製許可を示すウォータマークを構成するＰＮ系列を生成するときには、シフトレジスタ１Ａないし１Ｄに初期値「００１１」を入力する。一方、複製禁止を示すウォータマークを構成するＰＮ系列を生成するときには、シフトレジスタ１Ａないし１Ｄに初期値「０１０１」を入力する。
【００３５】
次に、強度設定部４０４の動作について説明する。
【００３６】
強度設定部４０４には、図１に示すように、映像信号とＰＮ系列生成部４０３から出力されたＰＮ系列とが入力される。そして、強度設定部４０４は、入力された映像信号に基づいて、ＰＮ系列生成部４０３からのＰＮ系列を適切な強度に設定する。具体的に説明すると、強度設定部４０４は、１画像を構成する画素にそれぞれ設定された輝度値が大きく変化しているか、それとも、小さく変化しているかを検出する。輝度値が大きく変化しているときには、その画像は、例えば複雑な模様を有しているので、ウォータマークが埋め込まれても、ウォータマークが目立たない。そこで、輝度値が大きく変化しているときには、強度設定部４０４は、ＰＮ系列生成部４０３から出力されたＰＮ系列、即ち、ウォータマークの強度を高めに設定する。例えば、ＰＮ系列が「０１０１……」である場合には、強度設定部４０４は、これを「０２０２……」または、「０３０３……」に設定する。そして、強度設定部４０４は、設定したＰＮ系列を強度変更部４０５に出力する。
【００３７】
一方、１画像を構成する画素にそれぞれ設定された輝度値が小さく変化しているときには、その画像は、例えばフラットな画像であるため、ウォータマークが目立ちやすい。そこで、輝度値が小さく変化しているときには、強度設定部４０４は、ＰＮ系列生成部４０３から出力されたＰＮ系列をそのまま強度変更部４０５に出力する。
【００３８】
次に、強度変更部４０５の動作について説明する。
【００３９】
強度設定部４０５は、制御部４１４に制御されて、強度設定部４０４から出力されたＰＮ系列の強度をある間隔で短期間、例えば数フレーム（１〜３フレーム）分だけ高め、加算部４０６へ出力する。
【００４０】
すなわち、制御部４１４は、ランダム周期又は何らかの法則に従った不定周期、シーンチェンジ毎、エッジが多い画像（複雑な画像、アクティブな画像）毎、動きの激しい画像（動きベクトルの大きい画像）毎に、強度変更部４０５がＰＮ系列の強度を高めるように制御する。
【００４１】
そして、加算部４０６は、映像信号と強度変更部４０５から出力されたＰＮ系列とを加算してノイズリダクション部４０７に出力する。ノイズリダクション部４０７は、ＰＮ系列が加算された映像信号に対してノイズ低減処理を施してＭＰＥＧエンコーダ４０８に出力する。ＭＰＥＧエンコーダ４０８は、ノイズ低減処理が施された映像信号を圧縮符号化して、ＭＰＥＧストリームとして出力する。
【００４２】
ここで、強度変更部４０５がランダム周期又は不定周期でＰＮ系列、即ちウォータマークの強度を高める理由は、ウォータマークが一定周期（一定の時間間隔）で高くなる映像に比べ、ランダム周期又は不定周期（ランダム又は不定の時間間隔）で高くなる映像の方が、視聴者がウォータマークの存在を認識しづらいからである。
【００４３】
また、強度変更部４０５がシーンチェンジ毎、エッジの多い画像毎、動きの激しい画像毎にウォータマークの強度を高める理由は、ウォータマークの強度が高くても、映像シーンの切り替わりによる時間的に変化の多い映像、エッジの多い映像、動きの激しい映像によって、視聴者がウォータマークの存在を認識しづらいからである。
【００４４】
このように、電子透かし埋め込み装置４０１は、確実に検出することができるような強度が高いウォータマークを映像コンテンツに埋め込むことができる。この際、電子透かし埋め込み装置４０１が埋め込むウォータマークは、数フレーム分だけであるため、映像コンテンツに対する影響が非常に小さく、実質的に映像を劣化させることがない。
【００４５】
なお、制御部４１４は、上述のランダム周期又は不定周期、シーンチェンジ毎、エッジが多い画像毎、動きの激しい画像毎の他に、それらを組み合わせて強度変更部４０５を制御することもできる。例えば、制御部４１４は、ランダム又は不定時間が経過した後のシーンチェンジ時に強度変更部４０５を制御する。なお、この場合、ＰＮ系列の強度を高める周期が結果的にランダム又は不定であればよいので、一定時間が経過した後のシーンチェンジ時に、制御部４１４が強度変更部４０５を制御するようにしても構わない。
【００４６】
次に、図６を参照して、電子透かし埋め込み装置４０１の動作について説明する。図６は一定時間が経過した後のシーンチェンジ時に、ウォータマークの強度を高める場合の処理を示すフローチャートである。この処理は制御部４１４の制御に基づいて実行される。
【００４７】
ステップＳ１において、制御部４１４は、入力された映像信号に付加されているＣＣＩ（Ｃｏｐｙ　Ｃｏｎｔｒｏｌ　　Ｉｎｆｏｒｍａｔｉｏｎ：　コピー制御情報）に基づいて、複製禁止（ＮＣ：　　Ｎｅｖｅｒ　Ｃｏｐｙ）、１世代複製許可（ＣＯ：　　Ｃｏｐｙ　　Ｏｎｃｅ）又は複製許可（Ｆｒｅｅ）かを判断する。複製禁止の場合は、ステップＳ２へ進み、１世代複製許可の場合は、ステップＳ３へ進み、複製禁止の場合は、ステップＳ１３へスキップする。
【００４８】
ステップＳ２において、ＰＮ系列生成部４０３が複製禁止に対応するＰＮ系列、即ちウォータマークを生成するように設定し、ステップＳ４へ進む。また、ステップＳ３において、制御部４１４は、ＰＮ系列生成部４０３が１世代複製許可に対応するＰＮ系列、即ちウォータマークを生成するように設定し、ステップＳ４へ進む。
【００４９】
次に、制御部４１４は、フラグをオフする初期設定を行って、図示しないタイマをセットし（ステップＳ４）、ＰＮ系列の強度を設定するように強度設定部４０４を制御する（ステップＳ５）。次に、制御部４１４は、フラグのオン／オフを判断し（ステップＳ６）、オンであればステップＳ９へスキップし、オフであればステップＳ７へ進む。
【００５０】
ステップＳ７において、制御部４１４は、タイマの計時が一定時間経過したか否かを判断し、一定時間経過していれば、フラグをオンにして（ステップＳ８）、ステップＳ９へ進み、一定時間経過していなければ、ステップＳ１２へスキップする。
【００５１】
ステップＳ９において、制御部４１４は、入力された映像信号に基づいて、シーンチェンジがあったか否か判断し、シーンチェンジがあった場合、ステップＳ１１へ進み、シーンチェンジがなかった場合、ステップＳ１２へスキップする。
【００５２】
次に、制御部４１４は、ＰＮ系列の強度を数フレーム分だけ高めるように強度変更部４０５を制御し（ステップＳ１０）、フラグをオフにする（ステップＳ１１）。
【００５３】
ステップＳ１２において、加算部４０６にて、入力された映像信号と、強度変更部４０５からの強度が高められたＰＮ系列、即ちウォータマークとが加算される。なお、ウォータマークが埋め込まれた映像信号は、ノイズリダクション部４０７およびＭＰＥＧエンコーダ４０８を経て、ＭＰＥＧストリームとして出力される。
【００５４】
ステップＳ１３では、制御部４１４は、映像コンテンツの映像信号の入力が終了したか否かを判断し、終了していれば処理を終了し、終了していなければ、ステップＳ５へ戻って処理が行われる。
【００５５】
以上のように、図６の処理では、電子透かし埋め込み装置４０１は、まず強度設定部４０４にてＰＮ系列の強度を設定し、一定時間が経過した後のシーンチェンジ時に、強度変更部４０５にてＰＮ系列の強度を高めるという処理を繰り返している。従って、電子透かし埋め込み装置４０１は、一定時間が経過した後のシーンチェンジ時に、強度を高めたウォータマークを映像コンテンツに埋め込むことができる。これにより、このウォータマークは、確実に検出が可能で、かつ映像中で目立つことがない。
【００５６】
−第２の実施形態−
以下、図７を参照して、本発明の電子透かし埋め込み装置の第２の実施形態について説明する。図７では、第１の実施形態の構成に対応する要素に同一符号を付し、その説明を省略する。
【００５７】
図７は第２の実施形態の電子透かし埋め込み装置４０１Ａを示すブロック図である。この電子透かし埋め込み装置４０１Ａは、映像コンテンツをＭＰＥＧエンコードしたＭＰＥＧストリームにウォータマークを埋め込むものであり、例えば、放送局等から送信された映像信号を記録媒体に記録する録画装置の一部として使用することができる。
【００５８】
図７に示すように、第２の実施形態の電子透かし埋め込み装置４０１Ａでは、映像信号に対しノイズリダクション部４０７によりノイズ低減し、さらにＭＰＥＧエンコーダ４０８により圧縮符号化処理を施して、ＭＰＥＧストリームを強度設定部４０４Ａおよび加算部４０６Ａに入力している。従って、強度設定部４０４Ａでは、このＭＰＥＧストリームに基づいて、ＰＮ系列の強度を設定している。また、加算部４０６Ａでは、このＭＰＥＧストリームに対してＰＮ系列を加算している。
【００５９】
強度変更部４０５Ａは強度設定部４０４Ａから出力されるＰＮ系列の強度を所定のタイミングで高くし、加算部４０６Ａに向けて出力する。強度変更部４０５Ａの動作としては、第１の実施形態における強度変更部４０５と同様の動作を採用することができる。
【００６０】
このように、電子透かし埋め込み装置４０１Ａは、映像信号に対し、ノイズリダクション部４０７によるノイズ低減およびＭＰＥＧエンコーダ４０８による圧縮符号化処理を施し、生成されたＭＰＥＧストリームに対して強度を高めたＰＮ系列、即ちウォータマークを重畳している。
【００６１】
これにより、電子透かし埋め込み装置４０１Ａは、ウォータマークを結果的に劣化させるノイズ低減処理や圧縮符号化処理の後にウォータマークを埋め込んでいるため、ウォータマークを劣化させるおそれがない。従って、電子透かし埋め込み装置４０１Ａは、ＭＰＥＧストリームとして出力される映像信号のウォータマークの強度や状態をより適切に管理できるという利点がある。
【００６２】
−第３の実施形態−
以下、図８を参照して、本発明の電子透かし埋め込み装置の第３の実施形態について説明する。図８では、第１の実施形態の構成に対応する要素に同一符号を付し、その説明を省略する。
【００６３】
図８は第３の実施形態の電子透かし埋め込み装置４０１Ｂを示すブロック図である。この電子透かし埋め込み装置４０１Ｂは、既にウォータマークが埋め込まれたベースバンドとされる映像信号にウォータマークを再度埋め込む（リマーキング）するものであり、電子透かし埋め込み装置４０１と同様に、放送局の放送設備の一部や映画会社等の録画装置の一部として使用することができる。
【００６４】
図８に示すように、電子透かし埋め込み装置４０１Ｂは、入力されてくる映像信号からウォータマークを検出するウォータマーク検出部４１５を備える。
【００６５】
ウォータマーク検出部４１５は、受け取った映像信号を光ディスク等の記録媒体に記録する前に、映像信号にウォータマークが埋め込まれているか否か、および、映像信号に埋め込まれているウォータマークが１世代複製許可および複製禁止のうちいずれを示すのかを検出し、検出結果を制御部４１４へ出力する。
【００６６】
ウォータマーク検出部４１５により１世代複製許可を示すウォータマークが検出された場合、ＰＮ系列生成部４０３では複製禁止に対応するＰＮ系列を生成する。このＰＮ系列の強度は、第１の実施形態と同様に強度設定部４０４において設定され、さらに強度変更部４０５において強度が変更される。強度変更部４０５から出力されたＰＮ系列は、加算部４０６において映像信号に加算される。
【００６７】
強度変更部４０５では、強度設定部４０４から出力されるＰＮ系列、即ちウォータマークの強度を数フレーム分だけ高め、加算部４０６に向けて出力する。強度変更部４０５の動作として、第１の実施形態における強度変更部４０５と同様の動作を採用することができる。なお、ウォータマークが埋め込まれた映像信号は、ノイズリダクション部４０７によるノイズ低減およびＭＰＥＧエンコーダ４０８によるＭＰＥＧエンコードが施されて、ＭＰＥＧストリームとして出力される。
【００６８】
このように、電子透かし埋め込み装置４０１Ｂは、１世代複製許可を示すウォータマークが埋め込まれていることを検出した場合には、確実に検出することができるような強度が高い、複製禁止を示すウォータマークを映像コンテンツにリマーキングすることができる。この際、電子透かし埋め込み装置４０１Ｂがリマーキングするウォータマークは、数フレーム分だけであるため、映像コンテンツに対する影響が非常に小さく、実質的に映像を劣化させることがない。
【００６９】
ウォータマーク検出部４１５により１世代複製許可を示すウォータマークおよび複製禁止を示すウォータマークが検出されない場合、このコンテンツは複製許可のものであるため、加算部４０６にてウォータマークがリマーキングされることなくＭＰＥＧストリームとして出力される。
【００７０】
ウォータマーク検出部４１５により複製禁止を示すウォータマークが検出された場合には、制御部４１４は録画を禁止するような制御を実行する。
【００７１】
−第４の実施形態−
以下、図９を参照して、本発明の電子透かし埋め込み装置の第４の実施形態について説明する。図９では、第１の実施形態の構成に対する要素に同一符号を付し、その説明を省略する。
【００７２】
図９は第４の実施形態の電子透かし埋め込み装置４０１Ｃを示すブロック図である。この電子透かし埋め込み装置４０１Ｃは、既にウォータマークが埋め込まれたＭＰＥＧストリームにウォータマークを再度埋め込む（リマーキングする）ものであり、電子透かし埋め込み装置４０１Ａと同様に、放送局から送信された映像信号を記録媒体に記録する録画装置の一部として使用することができる。
【００７３】
図９に示すように、電子透かし埋め込み装置４０１Ｃは、入力されてくる映像信号に対して、ノイズリダクション部４０７によるノイズ低減及びＭＰＥＧエンコーダ４０８による圧縮符号化処理を施し、生成されたＭＰＥＧストリームからウォータマークを検出するウォータマーク検出部４１５Ａを備える。
【００７４】
ウォータマーク検出部４１５Ａは、受け取ったＭＰＥＧストリームを光ディスク等の記録媒体に記録する前に、ＭＰＥＧストリームにウォータマークが埋め込まれているか否か、および、ＭＰＥＧストリームに埋め込まれているウォータマークが１世代複製許可および複製禁止のうちいずれかを示すものかを検出し、検出結果を制御部４１４へ出力する。
【００７５】
ウォータマーク検出部４１５Ａにより１世代複製許可を示すウォータマークが検出された場合、ＰＮ系列生成部４０３では複製禁止に対応するＰＮ系列を生成する。このＰＮ系列の強度は、第１の実施形態における強度設定部４０４と同様に強度設定部４０４Ａにおいて設定され、さらに強度変更部４０５Ａにおいて強度が変更される。強度変更部４０５Ａから出力されたＰＮ系列は、加算部４０６ＡにおいてＭＰＥＧストリームに加算される。
【００７６】
強度変更部４０５Ａでは、強度設定部４０４から出力されるＰＮ系列、即ちウォータマークの強度を数フレーム分だけ高め、加算部４０６に向けて出力する。強度変更部４０５Ａの動作として、第１の実施形態における強度変更部４０５と同様の動作を採用することができる。
【００７７】
このように、電子透かし埋め込み装置４０１Ｃは、映像信号に対し、ノイズリダクション部４０７によるノイズ低減およびＭＰＥＧエンコーダ４０８による圧縮符号化処理を施し、生成されたＭＰＥＧストリームに１世代複製許可を示すウォータマークが埋め込まれていることを検出した場合には、強度を高めたＰＮ系列、即ちウォータマークを重畳している。
【００７８】
これにより、電子透かし埋め込み装置４０１Ｃは、ウォータマークを結果的に劣化させるノイズ低減処理や圧縮符号化処理の後にウォータマークをリマーキングしているため、ノイズ低減処理や圧縮符号化処理によりウォータマークを劣化させることがない。従って、電子透かし埋め込み装置４０１Ｃは、ＭＰＥＧストリームとして出力される映像信号のウォータマークの強度や状態をより適切に管理できるという利点がある。
【００７９】
ウォータマーク検出部４１５Ａにより１世代複製許可を示すウォータマークおよび複製禁止を示すウォータマークが検出されない場合、このコンテンツは複製許可のものであるため、加算部４０６Ａにてウォータマークがリマーキングされることなく、そのままＭＰＥＧストリームとして出力される。
【００８０】
ウォータマーク検出部４１５Ａにより複製禁止を示すウォータマークが検出された場合には、制御部４１４は録画を禁止するような制御を実行する。
【００８１】
ここで、図８に示した電子透かし埋め込み装置４０１Ｂにおいて、ウォータマーク検出部４１５及び加算部４０６は、ノイズリダクション部４０７よりも上流側に位置している。即ち、電子透かし埋め込み装置４０１Ｂは、ノイズ低減の前に映像信号のウォータマークを検出し、かつリマーキングしている。また、図９に示した電子透かし埋め込み装置４０１Ｃにおいて、ウォータマーク検出部４１５Ａ及び加算部４０６Ａは、ＭＰＥＧエンコーダ４０８よりも下流側に位置している。即ち、電子透かし埋め込み装置４０１Ｃは、映像信号に対してノイズ低減及びＭＰＥＧエンコードを施して生成されたＭＰＥＧストリームのウォータマークを検出し、かつリマーキングしている。
【００８２】
このように図８および図９に示す電子透かし埋め込み装置４０１Ｂおよび４０１Ｃでは、ノイズリダクション部４０７およびＭＰＥＧエンコーダ４０８の位置を基準としたとき、ウォータマークの検出およびウォータマークのリマーキングを同一の位置で実行している。
【００８３】
しかしながら、本発明による電子透かし埋め込み装置は、このような構成に限られるものではない。例えば、図１０に示すように、ノイズリダクション部４０７の上流側の位置をＡ、ノイズリダクション部４０７とＭＰＥＧエンコーダ４０８との間の位置をＢ、ＭＰＥＧエンコーダ４０８の下流側の位置をＣとした場合、ウォータマーク検出部４１５，４１５Ａ及び加算部４０６，４０６Ａを以下のように配置することができる。
【００８４】
ウォータマーク検出部４１５をＡに配置した場合、加算部４０６をＡ又はＢ、加算部４０６ＡをＣに配置することができる。即ち、Ａでウォータマークを検出し、Ａ、Ｂ又はＣでリマーキングすることができる。なお、ウォータマーク検出部４１５および加算部４０６をそれぞれＡに配置した場合が、図８の構成に相当する。ウォータマーク検出部４１５をＢに配置した場合、加算部４０６をＢ、加算部４０６ＡをＣに配置することができる。即ち、Ｂでウォータマークを検出し、Ｂ又はＣでリマーキングすることができる。ウォータマーク検出部４１５ＡをＣに配置した場合、加算部４０６ＡはＣに配置することができる。即ち、Ｃでウォータマークを検出し、Ｃでリマーキングすることができる。なお、この場合が、図９の構成に相当する。
【００８５】
以上のように、ウォータマーク検出部４１５，４１５Ａおよび加算部４０６，４０６Ａの位置構成は、計６通りとなる。
【００８６】
上記６通りの位置構成のうち、ウォータマーク検出部４１５，４１５Ａが加算部４０６，４０６Ａよりも前段に位置している場合には、ウォータマーク検出部４１５，４１５Ａにおいて、ウォータマーク検出部４１５，４１５Ａと加算部４０６，４０６Ａの間に配置されたノイズリダクション部４０７あるいはＭＰＥＧエンコーダ４０８によりウォータマークが劣化する前の信号からウォータマークを検出できる。このため、ウォータマークが確実に検出される。また、この場合には、加算部４０６，４０６Ａがウォータマーク検出部４１５，４１５Ａよりも後段に位置付けられるので、加算部４０６，４０６Ａにより埋め込まれたウォータマークがウォータマーク検出部４１５，４１５Ａと加算部４０６，４０６Ａの間に配置されたノイズリダクション部４０７あるいはＭＰＥＧエンコーダ４０８により劣化するおそれがない。したがって、ウォータマーク検出部４１５，４１５Ａを加算部４０６，４０６Ａよりも前段に位置させることにより、予め埋め込まれているウォータマークを確実に検出でき、しかも、新たに埋め込んだウォータマークの劣化を抑制することができる。
【００８７】
例えば、ウォータマーク検出部４１５をＡに配置し、加算部４０６ＡをＣに配置した場合、Ａに配置されたウォータマーク検出部４１５は、ノイズリダクション部４０７およびＭＰＥＧエンコーダ４０８を経由する前の映像信号からウォータマークを検出することになる。このため、ウォータマークがノイズリダクション部４０７およびＭＰＥＧエンコーダ４０８により劣化しない段階で検出される。また、Ｃにおいて加算部４０６Ａにおいてウォータマークが埋め込まれたＭＰＥＧストリームは、ノイズリダクション部４０７およびＭＰＥＧエンコーダ４０８を経由することなく出力される。このため、加算部４０６Ａにおいて埋め込まれたウォータマークがノイズリダクション部４０７およびＭＰＥＧエンコーダ４０８により劣化するおそれがない。
【００８８】
−第５の実施形態−
以下、図１１を参照して、本発明の電子透かし埋め込み装置の第５の実施形態について説明する。
【００８９】
図１１は第５の実施形態の電子透かし埋め込み装置５０１Ｂを示すブロック図である。この電子透かし埋め込み装置５０１Ｂは、既にウォータマークが埋め込まれたＭＰＥＧストリームにウォータマークを再度埋め込む（リマーキングする）ものであり、記録媒体にＭＰＥＧによって圧縮されて記録されている映像コンテンツを再生する再生装置の一部として使用することができる。
【００９０】
図１１に示すように、電子透かし埋め込み装置５０１Ｂは、入力されたＭＰＥＧストリームからウォータマークを検出するウォータマーク検出部５１５と、ウォータマーク（電子透かし）を構成するＰＮ系列を生成するＰＮ系列生成部５０３と、ＰＮ系列生成部５０３から出力されたＰＮ系列を増幅してその強度を設定する強度設定部５０４と、ＰＮ系列の強度を変更する強度変更部５０５と、入力されたＭＰＥＧストリームとＰＮ系列とを加算する加算部５０６と、ＭＰＥＧストリームをＭＰＥＧ復号化処理するＭＰＥＧデコーダ５０８と、映像信号のノイズを低減するノイズリダクション部５０７と、ＲＡＭおよびＲＯＭを有する記憶部５１０と、操作者に向けて所定の情報を提示するための表示部５１１と、操作者の操作を受付ける操作部５１２と、上記各部を制御する制御装置５１４とを備える。
【００９１】
ウォータマーク検出部５１５は、受け取ったＭＰＥＧストリームにウォータマークが埋め込まれているか否か、および、ＭＰＥＧストリームに埋め込まれているウォータマークが１世代複製許可および複製禁止のうちいずれを示すのかを検出し、検出結果を制御部５１４へ出力する。
【００９２】
ウォータマーク検出部５１５により１世代複製許可を示すウォータマークが検出された場合、ＰＮ系列生成部５０３では複製禁止に対応するＰＮ系列を生成する。このＰＮ系列の強度は、第１の実施形態における強度設定部４０４と同様に強度設定部５０４において設定され、さらに強度変更部５０５において強度が変更される。強度変更部５０５から出力されたＰＮ系列は、加算部５０６においてＭＰＥＧストリームに加算される。
【００９３】
強度変更部５０５では、強度設定部５０４から出力されるＰＮ系列、即ちウォータマークの強度を数フレーム分だけ高め、加算部５０６に向けて出力する。強度変更部５０５の動作として、第１の実施形態における強度変更部４０５と同様の動作を採用することができる。なお、ウォータマークが付加されたＭＰＥＧストリームはＭＰＥＧデコーダ５０８でデコードされて映像信号となり、さらにノイズリダクション部５０７においてノイズ低減処理を施されて出力される。
【００９４】
このように、電子透かし埋め込み装置５０１Ｂは、１世代複製許可を示すウォータマークが埋め込まれていることを検出した場合には、確実に検出することができるような強度が高い、複製禁止を示すウォータマークを映像コンテンツにリマーキングすることができる。この際、電子透かし埋め込み装置５０１Ｂがリマーキングするウォータマークは、数フレーム分だけであるため、映像コンテンツに対する影響が非常に小さく、実質的に映像を劣化させることがない。
【００９５】
ウォータマーク検出部５１５により１世代複製許可を示すウォータマークおよび複製禁止を示すウォータマークが検出されない場合、このコンテンツは複製許可のものであるため、加算部５０６にてウォータマークがリマーキングされることなく、映像信号として出力される。
【００９６】
ウォータマーク検出部５１５により複製禁止を示すウォータマークが検出された場合には、制御部５１４は再生を禁止するような制御を実行する。
【００９７】
−第６の実施形態−
以下、図１２を参照して、本発明の電子透かし埋め込み装置の第６の実施形態について説明する。図１２では、第５の実施形態の構成に対応する要素に同一符号を付し、その説明を省略する。
【００９８】
図１２は第６の実施形態の電子透かし埋め込み装置５０１Ｃを示すブロック図である。この電子透かし埋め込み装置５０１Ｃは、既にウォータマークが埋め込まれた映像信号にウォータマークを再度埋め込む（リマーキングする）ものであり、電子透かし埋め込み装置５０１Ｂと同様に、記録媒体にＭＰＥＧによって圧縮されて記録されている映像コンテンツを再生する再生装置の一部として使用することができる。
【００９９】
図１２に示すように、電子透かし埋め込み装置５０１Ｃは、入力されてくるＭＰＥＧストリームに対して、ＭＰＥＧデコーダ５０８によるＭＰＥＧ復号化処理及びノイズリダクション部５０７によるノイズ低減を施し、生成された映像信号からウォータマークを検出するウォータマーク検出部５１５Ａを備える。
【０１００】
ウォータマーク検出部５１５Ａは、受け取った映像信号にウォータマークが埋め込まれているか否か、および、映像信号に埋め込まれているウォータマークが１世代複製許可および複製禁止のうちいずれかを示すものかを検出し、検出結果を制御部５１４へ出力する。
【０１０１】
ウォータマーク検出部５１５Ａにより１世代複製許可を示すウォータマークが検出された場合、ＰＮ系列生成部５０３では複製禁止に対応するＰＮ系列を生成する。このＰＮ系列の強度は、第１の実施形態における強度設定部４０４と同様に強度設定部５０４Ａにおいて設定され、さらに強度変更部５０５Ａにおいて強度が変更される。強度変更部５０５Ａから出力されたＰＮ系列は、加算部５０６Ａにおいて映像信号に加算される。
【０１０２】
強度変更部５０５Ａでは、強度設定部５０４Ａから出力されるＰＮ系列、即ちウォータマークの強度を数フレーム分だけ高め、加算部５０６Ａに向けて出力する。強度変更部５０５Ａの動作として、第１の実施形態における強度変更部４０５と同様の動作を採用することができる。
【０１０３】
このように、電子透かし埋め込み装置５０１Ｃは、映像信号に対し、ＭＰＥＧデコーダ５０８によるＭＰＥＧ復号化処理およびノイズリダクション部５０７によるノイズ低減を施し、生成された映像信号に１世代複製許可を示すウォータマークが埋め込まれていることを検出した場合には、強度を高めたＰＮ系列、即ちウォータマークを重畳している。
【０１０４】
これにより、電子透かし埋め込み装置５０１Ｃは、ウォータマークを結果的に劣化させる復号化処理やノイズ低減処理の後にウォータマークをリマーキングしているため、ウォータマークを劣化させることがない。従って、電子透かし埋め込み装置５０１Ｃは、映像信号として出力されるＭＰＥＧストリームのウォータマークの強度や状態をより適切に管理できるという利点がある。
【０１０５】
ウォータマーク検出部５１５Ａにより１世代複製許可を示すウォータマークおよび複製禁止を示すウォータマークが検出されない場合、このコンテンツは複製許可のものであるため、加算部５０６Ａにてウォータマークがリマーキングされることなく、そのまま映像信号として出力される。
【０１０６】
ウォータマーク検出部５１５Ａにより複製禁止を示すウォータマークが検出された場合には、制御部５１４は再生を禁止するような制御を実行する。
【０１０７】
ここで、図１１に示した電子透かし埋め込み装置５０１Ｂにおいて、ウォータマーク検出部５１５及び加算部５０６は、ＭＰＥＧデコーダ５０８よりも上流側に位置している。即ち、電子透かし埋め込み装置５０１Ｂは、ＭＰＥＧデコードされる前のＭＰＥＧストリームのウォータマークを検出し、かつリマーキングしている。また、図１２に示した電子透かし埋め込み装置５０１Ｃにおいて、ウォータマーク検出部５１５Ａ及び加算部５０６Ａは、ノイズリダクション部５０７よりも下流側に位置している。即ち、電子透かし埋め込み装置５０１Ｃは、ＭＰＥＧストリームに対してＭＰＥＧデコード及びノイズ低減を施して生成された映像信号のウォータマークを検出し、かつリマーキングしている。
【０１０８】
このように図１１および図１２に示す電子透かし埋め込み装置５０１Ｂおよび５０１Ｃでは、ノイズリダクション部５０７およびＭＰＥＧデコーダ５０８の位置を基準としたとき、ウォータマークの検出およびウォータマークのリマーキングを同一の位置で実行している。
【０１０９】
しかしながら、本発明による電子透かし埋め込み装置は、このような構成に限られるものではない。例えば、図１３に示すように、ＭＰＥＧデコーダ５０８の上流側の位置をＤ、ＭＰＥＧデコーダ５０８とノイズリダクション部５０７との間の位置をＥ、ノイズリダクション部５０７の下流側の位置をＦとした場合、ウォータマーク検出部５１５，５１５Ａ及び加算部５０６，５０６Ａを以下のように配置することができる。
【０１１０】
ウォータマーク検出部５１５をＤに配置した場合、加算部５０６をＤ、加算部５０６ＡをＥ又はＦに配置することができる。即ち、Ｄでウォータマークを検出し、Ｄ、Ｅ又はＦでリマーキングすることができる。なお、ウォータマーク検出部５１５および加算部５０６をそれぞれＤに配置した場合が、図１１の構成に相当する。ウォータマーク検出部５１５をＥに配置した場合、加算部５０６ＡをＥまたはＦに配置することができる。即ち、Ｅでウォータマークを検出し、Ｅ又はＦでリマーキングすることができる。ウォータマーク検出部５１５ＡをＦに配置した場合、加算部５０６ＡはＦに配置することができる。即ち、Ｆでウォータマークを検出し、Ｆでリマーキングすることができる。なお、この場合が、図１２の構成に相当する。
【０１１１】
以上のように、ウォータマーク検出部５１５，５１５Ａおよび加算部５０６，５０６Ａの位置構成は、計６通りとなる。
【０１１２】
上記６通りの位置構成のうち、ウォータマーク検出部５１５，５１５Ａが加算部５０６，５０６Ａよりも前段に位置している場合には、ウォータマーク検出部５１５，５１５Ａにおいて、ウォータマーク検出部５１５，５１５Ａと加算部５０６，５０６Ａの間に配置されたＭＰＥＧデコーダ５０８あるいはノイズリダクション部５０７によりウォータマークが劣化する前の信号からウォータマークを検出できる。このため、ウォータマークが確実に検出される。また、この場合には、加算部５０６，５０６Ａがウォータマーク検出部５１５，５１５Ａよりも後段に位置付けられるので、加算部５０６，５０６Ａにより埋め込まれたウォータマークがウォータマーク検出部５１５，５１５Ａと加算部５０６，５０６Ａの間に配置されたＭＰＥＧデコーダ５０８あるいはノイズリダクション部５０７により劣化するおそれがない。従って、ウォータマーク検出部５１５，５１５Ａを加算部５０６，５０６Ａよりも前段に位置させることにより、予め埋め込まれているウォータマークを確実に検出でき、しかも、新たに埋め込んだウォータマークの劣化を抑制することができる。
【０１１３】
例えば、ウォータマーク検出部５１５をＤに配置し、加算部５０６ＡをＦに配置した場合、Ｄに配置されたウォータマーク検出部５１５では、ＭＰＥＧデコーダ５０８およびノイズリダクション部５０７を経由する前のＭＰＥＧストリームからウォータマークを検出することになる。このため、ウォータマークがＭＰＥＧデコーダ５０８およびノイズリダクション部５０７により劣化しない段階で検出される。また、Ｆにおいて加算部５０６Ａにおいてウォータマークが埋め込まれた映像信号は、ＭＰＥＧデコーダ５０８およびノイズリダクション部５０７を経由することなく出力される。このため、加算部５０６Ａにおいて埋め込まれたウォータマークがＭＰＥＧデコーダ５０８およびノイズリダクション部５０７により劣化するおそれがない。
【０１１４】
なお、上述した実施形態では、ウォータマークを構成するＰＮ系列を、画像の画素にそれぞれ設定された輝度値に加算する構成としたが、本発明はこれに限るものではなく、ウォータマークを構成するＰＮ系列を、画素にそれぞれ設定された他の値に加算してもよい。
【０１１５】
また、ウォータマークを構成するＰＮ系列は、Ｍ系列に限らない。ウォータマークを構成するＰＮ系列として、例えばゴールド（Ｇｏｌｄ）符号のような他のランダム系列を用いてもよい。
【０１１６】
また、前記実施形態では、ウォータマークをＰＮ系列によって構成する場合を例に挙げたが、本発明はこれに限るものではない。例えば、ランダム若しくはランダムに近い符号または符号の配列に規則性があってもその規則性を容易に判断することができないような符号が配列された他の信号によってウォータマークを構成することも可能である。
【０１１７】
また、前記実施形態では、ＰＮ系列を構成する符号と画像の画素とを一対一に対応させる場合を例に挙げたが、本発明はこれに限らない。例えば、画像を互いに隣接した複数の画素からなる複数の領域に分割し、この領域に、ＰＮ系列を構成する符号を一対一に対応させてもよい。ここで、複製禁止を示すウォータマークを構成するＰＮ系列「０１０１……」を、互いに連接する４つの画素からなる正方形の領域に分割された画像に埋め込む場合を例に挙げる。この場合、この画像の第１番目に配置された領域に含まれる４つの画素の輝度値には、すべて「０」が加算される。さらに、この画像の第２番目に配置された領域に含まれる４つの画素の輝度値には、すべて「１」が加算される。このように、ＰＮ系列を構成する符号と複数の画素からなる領域とを一対一に対応させることにより、デジタル映像がフィルタにかけられたり圧縮されたりしてもウォータマークをデジタル映像中に残存させることができる。
【０１１８】
本発明は、放送メディアの他、ビデオテープやＤＶＤ等のパッケージメディアにも適用可能であることは勿論である。
【０１１９】
【発明の効果】
以上説明したように、本発明の電子透かし埋め込み装置によれば、コンテンツに埋め込まれる電子透かしの強度を間隔を空けて高くするので、強度の高い部分で確実に電子透かしを検出することができる。また、強度が高い部分を間隔をあけて配置するので、その部分に対して間隔を広くとることにより画質に与えるウォータマークの影響を抑制することができる。
【０１２０】
また、本発明の電子透かし埋め込み方法によれば、コンテンツに埋め込まれる電子透かしの強度を間隔を空けて高くするので、強度の高い部分で確実に電子透かしを検出することができる。また、強度が高い部分を間隔をあけて配置するので、その部分に対して間隔を広くとることにより画質に与えるウォータマークの影響を抑制することができる。
【０１２１】
さらに、本発明の電子透かしを有する記録媒体によれば、コンテンツに埋め込まれた電子透かしの強度が、間隔が空いて高くなっているので、強度の高い部分で確実に電子透かしを検出することができる。また、強度が高い部分を間隔をあけて配置するので、その部分に対して間隔を広くとることにより画質に与えるウォータマークの影響を抑制することができる。
【０１２２】
本発明の電子透かし埋め込み装置は、によれば、検出手段および埋め込み手段の間における信号処理の影響を受けることなく検出手段により第１の電子透かしを検出できるので、第１の電子透かしを確実に検出できる。また、埋め込み手段により埋め込まれた第２の電子透かしが検出手段および埋め込み手段の間における信号処理の影響を受けないため、第２の電子透かしの劣化を抑制できる。
【０１２３】
また、本発明の電子透かし埋め込み方法によれば、検出手順および埋め込み手順の間における信号処理の影響を受けることなく検出手順により第１の電子透かしを検出できるので、第１の電子透かしを確実に検出できる。また、埋め込み手順により埋め込まれた第２の電子透かしが検出手順および埋め込み手順の間における信号処理の影響を受けないため、第２の電子透かしの劣化を抑制できる。
【０１２４】
さらに、本発明の記録媒体の製造方法によれば、検出手順および埋め込み手順の間における信号処理の影響を受けることなく検出手順により第１の電子透かしを検出できるので、第１の電子透かしを確実に検出できる。また、埋め込み手順により埋め込まれた第２の電子透かしが検出手順および埋め込み手順の間における信号処理の影響を受けないため、第２の電子透かしの劣化を抑制できる。
【図面の簡単な説明】
【図１】第１の実施形態の電子透かし埋め込み装置を示すブロック図。
【図２】ウォータマークを説明する図。
【図３】ウォータマークを説明する図。
【図４】ＰＮ系列生成回路の構成を示す図。
【図５】ＰＮ系列生成回路の構成を示す図。
【図６】第１の実施形態の電子透かし埋め込み装置の動作を示すフローチャート。
【図７】第２の実施形態の電子透かし埋め込み装置を示すブロック図。
【図８】第３の実施形態の電子透かし埋め込み装置を示すブロック図。
【図９】第４の実施形態の電子透かし埋め込み装置を示すブロック図。
【図１０】ウォータマーク検出部及び加算部の位置を示す図。
【図１１】第５の実施形態の電子透かし埋め込み装置を示すブロック図。
【図１２】第６の実施形態の電子透かし埋め込み装置を示すブロック図。
【図１３】ウォータマーク検出部及び加算部の位置を示す図。
【符号の説明】
４０４　強度設定部（変動手段、設定手段）
４０５　強度変更部（変動手段、変更手段）
４１４　制御装置（制御手段）
４１５，４１５Ａ，５１５，５１５Ａ　ウォータマーク検出部（検出手段）
４０６，４０６Ａ，５０６，５０６Ａ　加算部（埋め込み手段）
４０７，５０７　ノイズリダクション部（ノイズ低減手段）
４０８　ＭＰＥＧエンコーダ（圧縮符号化手段）
５０８　ＭＰＥＧデコーダ（復号化手段）
【図１】
2004007032.tif 000003
【図２】
2004007032.tif 000004
【図３】
2004007032.tif 000005
【図４】
2004007032.tif 000006
【図５】
2004007032.tif 000007
【図６】
2004007032.tif 000008
【図７】
2004007032.tif 000009
【図８】
2004007032.tif 000010
【図９】
2004007032.tif 000011
【図１０】
2004007032.tif 000012
【図１１】
2004007032.tif 000013
【図１２】
2004007032.tif 000014
【図１３】
2004007032.tif 000015